(57)【要約】【課題】ダクト内の空気の流通の抵抗を低減しつつ、効率よく吸音することができるサイレンサ及びこれを備える空調システムを提供する。【解決手段】サイレンサ２１であって、空気を流通させ、断面のアスペクト比が１より大きい矩形形状のダクト２２と、ダクト２２の設置される少なくとも１つの吸音材５０、５２と、を有し、吸音材５０、５２は、いずれもダクト２２の断面において、ダクト２２の長辺側の２辺に両端が接し、長辺方向の一部に配置されている。【選択図】図２Ａ
2014081164.tif 000002
【特許請求の範囲】
【請求項１】
空気を流通させ、断面のアスペクト比が１より大きい矩形形状のダクトと、
前記ダクトの設置される少なくとも１つの吸音材と、を有し、
前記吸音材は、いずれも前記ダクトの断面において、前記ダクトの長辺側の２辺に両端が接し、前記長辺方向の一部に配置されていることを特徴するサイレンサ。
【請求項２】
前記吸音材の少なくとも２つは、前記ダクトの断面において、前記ダクトの短い側の両方の壁面に接していることを特徴とする請求項１に記載のサイレンサ。
【請求項３】
前記吸音材の少なくとも１つは、前記ダクトの前記空気の流通方向の全域に配置されることを特徴とする請求項１または２に記載のサイレンサ。
【請求項４】
前記ダクトの内部に前記空気の流れ方向に延在して配置され、前記ダクトの断面において、前記ダクトの短辺に沿って配置されかつ、両端が前記ダクトの長辺と連結したスプリッタを有し、
前記吸音材の少なくとも１つは、前記ダクトの断面において、前記スプリッタに接していることを特徴とする請求項１から３のいずれか一項に記載のサイレンサ。
【請求項５】
室内の空気を調和させる空調システムであって、
前記室内から空気を吸引する吸引ダクトと、
前記吸引ダクトが吸引した空気を調整する空調機と、
前記空調機から排出された空気を前記室内に排出する排気ダクトと、
前記吸引ダクト及び前記排気ダクトの少なくとも一方の空気の流路の一部に配置された請求項１から４のいずれか一項に記載のサイレンサと、を有することを特徴とする空調システム。
【発明の詳細な説明】
【技術分野】
【０００１】
本発明は、ダクトに設置するサイレンサ及びこれを備える空調システムに関するものである。
【背景技術】
【０００２】
空気を流通させるダクト（配管）は、室内と装置や、室内と室内、室内と室外を繋げている。そのため、室内にダクトの接続先からの音が伝達されてしまう場合がある。このため、ダクトが音を伝達することを抑制するため、ダクトにサイレンサを設置することが知られている。
【０００３】
特許文献１には、ダクト式空調システムにおける送気及び還気装置が記載されている。この送気及び還気装置は、還気側には、吸込口サイレンサと還気側フレキシブル接続管を備え、送気側には、送気側フレキシブル接続管と、接続ジョイントと、送風ダクトと、ウォールコーナーと、吹出口サイレンサと、を備える。
【０００４】
特許文献２には、骨組構造をしたフレームに連続気孔を有する複数のセラミック板などの吸音性材料で構成した板または当該板をパイプ状にしたものを伝播方向に抜取可能に挿入して拘束することで多面の内面を有する複数のセル構造を形成し、特定のセルに蓋部材を設けて内部に空気層を有する吸音構造にしてなるサイレンサが記載されている。
【先行技術文献】
【特許文献】
【０００５】
【特許文献１】特開２０１１−１４０９４９号公報
【特許文献２】特許第３５４０６９７号公報
【発明の概要】
【発明が解決しようとする課題】
【０００６】
ここで、ダクトの形状に自由度があれば、特許文献２に記載のような形状とすることができるが、形状に制約がある場合もある。また、特許文献１に記載の装置のように、連結している部分のみのサイレンサを設置しても、騒音等の吸収が十分でない場合がある。また、ダクトの全面にサイレンサを配置すると、十分に吸音することができるが、流路抵抗が大きくなりダクトとしての機能が低下する。
【０００７】
本発明は、上述した課題を解決するものであり、ダクト内の空気の流通の抵抗を低減しつつ、効率よく吸音することができるサイレンサ及びこれを備える空調システムを提供することを目的とする。
【課題を解決するための手段】
【０００８】
上記の目的を達成するため、本発明は、サイレンサであって、空気を流通させ、断面のアスペクト比が１より大きい矩形形状のダクトと、前記ダクトの設置される少なくとも１つの吸音材と、を有し、前記吸音材は、いずれも前記ダクトの断面において、前記ダクトの長辺側の２辺に両端が接し、前記長辺方向の一部に配置されていることを特徴する。
【０００９】
サイレンサは、上記構成とすることで、ダクト内の空気の流通の抵抗を低減しつつ、効率よく吸音することができる。特に、吸音材の厚みを厚くできるため、低周波の音を好適に抑制することができる。
【００１０】
ここで、前記吸音材の少なくとも２つは、前記ダクトの断面において、前記ダクトの短い側の両方の壁面に接していることが好ましい。これにより、吸音材を確実に保持することができる。
【００１１】
また、前記吸音材の少なくとも１つは、前記ダクトの前記空気の流通方向の全域に配置されることが好ましい。これにより、より多くの音を吸収することができ、音を小さくすることができる。
【００１２】
また、前記ダクトの内部に前記空気の流れ方向に延在して配置され、前記ダクトの断面において、前記ダクトの短辺に沿って配置されかつ、両端が前記ダクトの長辺と連結したスプリッタを有し、前記吸音材の少なくとも１つは、前記ダクトの断面において、前記スプリッタに接していることが好ましい。これにより、吸音材を確実に保持しつつ、配置領域を大きくすることができる。
【００１３】
上記の目的を達成するため、本発明は、室内の空気を調和させる空調システムであって、前記室内から空気を吸引する吸引ダクトと、前記吸引ダクトが吸引した空気を調整する空調機と、前記空調機から排出された空気を前記室内に排出する排気ダクトと、前記吸引ダクト及び前記排気ダクトの少なくとも一方の空気の流路の一部に配置された上記のいずれかに記載のサイレンサと、を有することを特徴とする。
【００１４】
空調システムは、上記構成とすることで、ダクト内の空気の流通の抵抗を低減しつつ、効率よく吸音することができる。また、空調システムは、ダクトの配置面積が小さい場合であっても効率よく低周波の音を低減することができる。
【発明の効果】
【００１５】
本発明によれば、ダクト内の空気の流通の抵抗を低減しつつ、効率よく吸音することができる効果を奏することができる。
【図面の簡単な説明】
【００１６】
【図１】図１は、実施形態１に係るサイレンサを有する空調システムの概略構成を示す模式図である。
【図２Ａ】図２Ａは、実施形態１のサイレンサの上面図である。
【図２Ｂ】図２Ｂは、実施形態１のサイレンサを給気口側から見た図である。
【図３Ａ】図３Ａは、実施形態２のサイレンサの上面図である。
【図３Ｂ】図３Ｂは、実施形態２のサイレンサを給気口側から見た図である。
【図４Ａ】図４Ａは、実施形態３のサイレンサの上面図である。
【図４Ｂ】図４Ｂは、実施形態３のサイレンサを給気口側から見た図である。
【図５Ａ】図５Ａは、実施形態４のサイレンサの上面図である。
【図５Ｂ】図５Ｂは、実施形態４のサイレンサを給気口側から見た図である。
【図５Ｃ】図５Ｃは、実施形態４のサイレンサのＡ−Ａ線断面図である。
【図６】図６は、解析例１のサイレンサの概略構成を示す斜視図である。
【図７】図７は、解析例２のサイレンサの概略構成を示す斜視図である。
【図８】図８は、垂直入射吸音率と厚さ及び流れ抵抗の関係を示すグラフである。
【発明を実施するための形態】
【００１７】
本発明を実施するための形態（実施形態）につき、図面を参照しつつ詳細に説明する。なお、この実施形態により本発明が限定されるものではなく、また、実施形態が複数ある場合には、各実施形態を組み合わせて構成するものも含まれる。また、以下に記載した構成要素には、当業者が容易に想定できるもの、実質的に同一のものが含まれる。さらに、以下に記載した構成要素は適宜組み合わせることが可能である。
【００１８】
（実施形態１）
図１は、実施形態１に係るサイレンサを有する空調システムの概略構成を示す模式図である。図１に示す空調システム１０は、部屋１２、１４の室内の空気を調和するシステムである。ここで、本実施形態の空調システム１０は、例えば客船の客室の空気を調和するシステムとして用いることができる。この場合、例えば、部屋１２が居室となり、部屋１４が浴室となる。
【００１９】
空調システム１０は、空調機１６と、配管１８と、サイレンサ２１と、通風口２６と、を有する。空調機１６は、部屋１２、１４の空気を調和する機器である。具体的には、空調機１６は、部屋１２、１４の空気を吸引し、吸引した空気を部屋１２に排気することで循環させる。空調機１６は、循環する際に空気に対して加熱、冷却、除湿、加湿、ホコリ除去、殺菌等を行うことで、部屋１２、１４の空気を調和し、室内環境を調整する。なお、空調機１６は、送風機、熱交換器、フィルタ、コンプレッサ等を備える。
【００２０】
配管１８は、空調機１６の給気側の配管である。配管１８は、一方の端部がサイレンサ２１に接続され、他方の端部が空調機１６に接続されている。サイレンサ２１は、部屋１４の床下に配置されている。したがって、空調システム１０が配置されている部屋１２と部屋１４は、サイレンサ２１が配置されている分、部屋１４の方が部屋１２よりも床が高くなっている。サイレンサ２１は、吸音機能を有するダクトであり、部屋１２と配管１８とに接続されている。サイレンサ２１は、部屋１２と繋がっている開口が給気口３０となり、給気口３０とは離れた位置の開口が排気口３２となる。排気口３２は、配管１８と接続されている。サイレンサ２１は給気口３０から吸気した部屋１２の空気を排気口３２から配管１８に供給する。排気管１８に供給された空気は、空調機１６に供給される。サイレンサ２１については、後述する。
【００２１】
ダクト２４は、空調機１６の排気側に接続された配管であり、空調機１６から排出された空気を通風口２６まで案内する。通風口２６は、部屋１２の天井に配置されている。通風口２６は、部屋１２とダクト２４の両方に繋がっている。通風口２６は、ダクト２４から供給される空気を部屋１２に排出させる。
【００２２】
空調システム１０は、以上のような構成であり、サイレンサ２１から吸引された部屋１２の空気が配管１８、空調機１６、ダクト２４、通風口２６の順に通過して、部屋１２に排出される。空調システム１０は、このようにして部屋１２の空気を循環させる。また、空調システム１０は、空気の循環時に空調機１６で空気に対して加熱、冷却、除湿、加湿、ホコリ除去、殺菌等を行うことで、部屋１２の空気を調和させる。なお、部屋１２と部屋１４は、繋がっているため、部屋１２の空気を調和させることで、部屋１４の空気も調和される。
【００２３】
次に、図２Ａ及び図２Ｂを用いて、サイレンサ２１について説明する。図２Ａは、実施形態１のサイレンサの上面図である。図２Ｂは、実施形態１のサイレンサを給気口側から見た図である。サイレンサ２１は、吸音機能（消音機能）を備えるダクトである。サイレンサ２１は、上述したように空調機１６に空気を供給する配管（ダクト）の一部となる。サイレンサ２１は、ダクト２２と、吸音材５０と、吸音材５２と、を有する。
【００２４】
ダクト２２は、中空の箱型の部材であり、給気口３０と排気口３２以外が閉じられた空間となる。給気口３０は、部屋１２と繋がっている。排気口３２は、配管１８と繋がっている。ダクト２２は、給気口３０から吸引した空気が内部の空間を通って、排気口３２に到達し、排気口３２から配管１８に排出される。ダクト２２は、上面３４と、底面３６と、側面３８、４０、４２、４４と、内部の空間が囲われている。上面３４と底面３６とは、対面している面であり、最も面積が大きい面となる。側面３８と側面４０とは、給気口３０と繋がっている面であり、一方向に伸び細長い板状の部材である。側面４２と側面４４とは、排気口３２と繋がっている面であり、一方向に伸び細長い板状の部材である。ダクト２２は、側面３８の給気口３０と接していない面と側面４４の排気口３２と接していない面とが接している。ダクト２２は、側面４０の給気口３０と接していない面と側面４２の排気口３２と接していない面とが接している。また、ダクト２２は、上面３４から見た形状において、側面３８及び側面４０と、側面４２及び側面４４とが直行している。したがって、ダクト２２は、給気口３０と排気口３２とは、向きが９０度異なっている。これにより、ダクト２２を流れる空気の流路は、上面３４から見た場合Ｌ字形状となる。なお、ダクト２２は、側面３８、４０の延在方向が長く、側面４２、４４の延在方向が短くなる。また、ダクト２２は、側面３８側に排出口３２が設けられている。これにより、上面３４から見た面において、側面４４が最も短い面となり、側面３８よりも側面４０が長い面となる。
【００２５】
また、ダクト２２は、図２Ｂに示すように空気の流れに直交する面において、アスペクト比が１より大きい矩形形状、つまり長方形形状となる。具体的には、空気の流れ方向に直交する面（単に断面ともいう）において、側面３８、４０の長さよりも上面３４及び底面３６の長さの方が長くなる。本実施形態のダクト２２は、断面における上面３４と側面３８との長さが大きく異なり、細長い形状である。
【００２６】
また、ダクト２２は、上面３４に側面３８、４０の延在方向に伸びた支持部材４６が配置されている。支持部材４６は、側面３８と側面４０との略中央に配置されている。支持部材４６は、幅広の面の上面３４を支持し、上面３４の撓みを抑制する防撓材である。
【００２７】
吸音材５０は、側面３８の全面に接している。また吸音材５０は、断面において、一方の端面が上面３４に接し、他方の端面が底面３６に接している。また、吸音材５０は、断面において、給気口３０の長手方向の一部、つまり、上面３４、底面３６の一部に配置されている。吸音材５２は、側面４０の全面に接している。また吸音材５２は、断面において、一方の端面が上面３４に接し、他方の端面が底面３６に接している。また、吸音材５２は、断面において、給気口３０の長手方向の一部、つまり、上面３４、底面３６の一部に配置されている。吸音材５０、５２としては、グラスウールを用いることができる。
【００２８】
本実施形態のサイレンサ２１及び空調システム１０は、以上のようにサイレンサ２１のダクト２２の形状を断面のアスペクト比が１より大きい矩形形状とし、吸音材５０、５２を、ダクト２２の長辺側の２辺に両端が接し、長辺方向の一部に配置されている配置とすることで、つまり短辺に沿った吸音材５０、５２のみを配置することで、吸音材の厚み（設置している面に直交する方向の厚み）を厚くできる。設置している面とは、吸音材５０、５２の両端が接している面をつなげた面である。サイレンサ２１は、吸音材の厚みを厚くできることで、低周波の音を効率よく低減することができる。サイレンサ２１は、短辺に沿った吸音材５０、５２のみを配置することで、本実施形態のようにダクト２２が細長い形状等で、全周に吸音材５０、５２を配置できない、長辺方向に沿って配置できない場合も、好適に所望の低周波の音を低減することができる。また、サイレンサ２１は、短辺に沿った吸音材５０、５２のみを配置することで、効率強く低周波の音を低減できるため、ダクト２２の空気を流通させる機能の低下を抑えつつ、減音させることができる。
【００２９】
また、サイレンサ２１は、吸音材５０、５２が、ダクト２２の断面において、ダクト２２の側面３８、４０（短い側の両方の壁面）に接していることで、吸音材５０、５２を好適に支持することができる。ここで、吸音材５０、５２は、音を吸収する形状であるため多孔質で変形しやすい部材となる。このため、吸音材５０、５２を壁面に配置して、３面で固定することで、変形を抑制することができ、吸音の効果をより大きくすることができる。
【００３０】
ここで、吸音効果は、下記式で算出することができる。ここで、Ｌｄ，Ｄｄ、Ｈｄは、それぞれダクトの長さ［ｍ］、幅［ｍ］、高さ［ｍ］である。つまりＬｄは、給気口３０から排気口３２までの距離となる。この場合ダクトの長さは、空気の流れに沿って測定する。ダクトの幅は、例えば、側面４０から側面３８までの距離である。ダクトの幅は、例えば、側面３４から側面３６までの距離である。αｙ、αｚは、ダクト２２に配置した幅方向、高さ方向の吸音材厚さに基づいた吸音率である。なお、厚さと吸音率との関係は、例えば、後述するグラフから算出することができる。Ａｔｔｓは、単位長さ当たりの減音率である。Ａｔｔｓｙは、幅依存の単位長さ当たりの減音率である。Ａｔｔｓｚは、高さ依存の単位長さ当たりの減音率である。また、０．７は安全率である。
【００３１】
Ａｔｔｓｙ＝４．３／Ｄｄ×（１−（１−αｙ）０．５）／（１＋（１−αｙ）０．５）
Ａｔｔｓｚ＝４．３／Ｈｄ×（１−（１−αｚ）０．５）／（１＋（１−αｚ）０．５）
Ａｔｔｓ＝０．７×（Ａｔｔｓｙ＋Ａｔｔｓｚ）
Ａｔｔ＝Ａｔｔｓ×Ｌｄ
【００３２】
上記式に示すように、吸音材は、厚みによって吸音率が変化する。なお、吸音材は、基本的に厚みを厚くするほど、吸音率が高くなる。また、吸音材は、吸音したい周波数に対応した厚み、具体的には、波長の１／４の厚みとすることで、対象の周波数の音を低減することができる。以上より、本実施形態のサイレンサは、厚みを厚くすることができるため、ダクトの形状に制約がある場合でも適切に所望の周波数の音を低減することができる。特に本実施形態のようにアスペクト比が大きく、断面の長さの差が大きい場合でも、サイレンサに適切な空間（吸音材が配置されていない領域）を確保しつつ、対象の周波数を好適に吸音させることができる。
【００３３】
また、本実施形態のように、支持部材４６が配置された形状であっても、支持部材４６が配置された位置とは異なる位置に防音材を配置することができる。また、撓みにくい位置に防音材を配置することができるため、防音材が変形して、吸音効果が低減することや、防音材が空気の通路を塞いでしまうことを抑制することができる。
【００３４】
（実施形態２）
図３Ａは、実施形態２のサイレンサの上面図である。図３Ｂは、実施形態２のサイレンサを給気口側から見た図である。以下の説明においては、上述した実施形態と同じ構成要素には同一の符号を付して、重複する説明は省略する。サイレンサ６１は、吸音材６０、６０ａ、６２、６４、６４ａを有する。吸音材６０は、吸音材５０と同様の位置に配置されている。吸音材６０ａは、吸音材６０の端部よりも側面４４との接続部側に配置されている。吸音材６０ａは、上面３５から見た場合、吸音材６０の端部から側面４４に向かうにしたがって幅が狭くなる三角形状となる。吸音材６２は、吸音材５２と同様の位置に配置されている。吸音材６４は、断面において、一方の端面が上面３４に接し、他方の端面が底面３６に接している。また、吸音材５２は、側面４２に接している。吸音材６４ａは、吸音材６４の端部よりも排気口３２側に配置されている。吸音材６４ａは、上面３４から見た場合、吸音材６０の端部から排気口３２に向かうにしたがって幅が狭くなる三角形状となる。サイレンサ６１は、吸音材６０ａ、６４ａを排気口３２に向かうに従って、面積が徐々に減少する形状とすることで、吸音材６０ａ、６４ａによって最小流路断面積が小さくならないように配置している。
【００３５】
このように、サイレンサ６１は、吸音材６０ａ、６４、６４ａを配置することで、吸音材の配置体積、配置長さを大きくすることができ、吸音効果をより高くすることができる。また、吸音材６０ａ、６４、６４ａは、ダクト２２内の空気の流れに沿って、吸音材６０、６２と同様の位置に配置しているため、空気の流れに対して圧力損失が増加することを抑制できる。具体的には、サイレンサ６１は、最小流路断面積が低減しない位置に吸音材を配置することで、圧力損失が増加することを抑制できる。これにより、空気の流れやすさを維持しつつ、吸音効果を向上させることができる。
【００３６】
（実施形態３）
図４Ａは、実施形態３のサイレンサの上面図である。図４Ｂは、実施形態３のサイレンサを給気口側から見た図である。以下の説明においては、上述した実施形態と同じ構成要素には同一の符号を付して、重複する説明は省略する。サイレンサ７１は、吸音材６０、６０ａ、７２、７４を有する。吸音材６０、吸音材６０ａは、サイレンサ６１と同様の構成である。吸音材７２は、空気の流れ方向において側面４０の一部に配置されている。また、吸音材７２は、断面において、一方の端面が上面３４に接し、他方の端面が底面３６に接している。また、吸音材７２は、断面において、給気口３０の長手方向の一部、つまり、上面３４、底面３６の一部に配置されている。次に、吸音材７４は、側面４０の吸音材７２が配置されている端部と、側面４２の所定の位置と、を結んだ直線上に配置されている。吸音材７４の空気が流れる側の端面は、空気が流れる流線αよりも外側の位置となる。また、吸音材７４は、断面において、一方の端面が上面３４に接し、他方の端面が底面３６に接している。また、吸音材７４は、断面において、給気口３０の長手方向の一部、つまり、上面３４、底面３６の一部に配置されている。サイレンサ７１は、吸音材７４を流線αよりも外側に流線αに沿って配置することで流線αを変化させないようにしている。
【００３７】
このように、サイレンサ７１は、吸音材７２、７４を配置することで、吸音材の配置体積、配置長さを大きくすることができ、吸音効果をより高くすることができる。また、吸音材７２、７４は、ダクト２２内の空気の流線αに沿って配置しているため、空気の流れに対して圧力損失が増加することを抑制できる。これにより、空気の流れやすさを維持しつつ、吸音効果を向上させることができる。
【００３８】
（実施形態４）
図５Ａは、実施形態４のサイレンサの上面図である。図５Ｂは、実施形態４のサイレンサを給気口側から見た図である。図５Ｃは、実施形態４のサイレンサのＡ−Ａ線断面図である。以下の説明においては、上述した実施形態と同じ構成要素には同一の符号を付して、重複する説明は省略する。サイレンサ８１は、ダクト２２の空間に上面３４と底面３６とを連結させるスプリッタ８０が配置されている。スプリッタ８０は、空気の流れ方向が長手方向となる向きで配置されている。
【００３９】
サイレンサ８１は、吸音材６０、６０ａ、６２、６４、６４ａ、８２を有する。吸音材６０、６０ａ、６２、６４、６４ａは、サイレンサ６１の各部と同様の構成である。吸音材８２は、断面において、一方の端面が上面３４に接し、他方の端面が底面３６に接している。また、吸音材８２は、スプリッタ８０に接している。吸音材８２は、スプリッタ８０、上面３４、底面３６で３面が支持されている。
【００４０】
このように、サイレンサ８１は、スプリッタ８０を設けることで、ダクト２２の撓み等の変形を抑制することができる。これにより、ダクト２２が変形して、吸音材の形状が変形することを抑制できる。また、スプリッタ８０に接して吸音材８２を設けることで、変形しにくい位置に吸音材を配置することができる。また、スプリッタ８０の周囲に設けることで空気の流れに対する影響が少ない位置に吸音材を配置することができる。これにより圧力損失の増加を少なくしつつ、吸音効果を向上させることができる。
【００４１】
なお、スプリッタは、本実施形態のように、ダクトの内部に空気の流れ方向（流線β）に延在して配置され、ダクトの断面において、ダクトの短辺に沿って配置されかつ、両端が前記ダクトの長辺と連結した形状とすることが好ましい。これにより、圧力損失の増加を抑制しつつ、変形を効果的に抑制することができる。
【００４２】
また、サイレンサは、吸音材の少なくとも１つが、ダクトの空気の流通方向の全域に配置されることが好ましい。これにより流通方向（流線の方向）の長さを長くすることができ、吸音効果をより高くすることができる。
【００４３】
また、上記実施形態では、サイレンサを、部屋１４の床下のダクトに設けたが配置位置は限定されない。サイレンサの配置の向きは特に限定されない。例えば、サイレンサは、部屋１４の側面に鉛直方向に延在する向きで配置してもよい。また、サイレンサは、天井側のダクトに配置してもよい。
【００４４】
また、上述した各実施形態に係るサイレンサを室内の空気を調和する空調機のダクトに適用して説明したが、サイレンサの配置位置はこれに限定されない。サイレンサは、空気を流通させるダクトであれば、いずれの設備でも適用することが可能である。例えば、外気を室内に取り入れるためのダクトに本実施形態のサイレンサを設けてもよい。なお、本実施形態のサイレンサは、ダクトの形状や、配置スペースに制限がある箇所に設ける場合により有効に利用できる。したがって、上記実施形態のように船の室内に接続されるダクトに設ける場合により顕著な効果を得ることができる。
【００４５】
（解析例）
図６は、解析例１のサイレンサの概略構成を示す斜視図である。図７は、解析例２のサイレンサの概略構成を示す斜視図である。図８は、垂直入射吸音率と厚さ及び流れ抵抗の関係を示すグラフである。以下、図６から図８を用いて、解析例を説明することで、本発明のサイレンサ及び空調システムについてより詳細に説明する。
【００４６】
図６に示す解析例１のサイレンサ１００は、本実施形態の要件を満足しており、ダクト１０２の、断面において、吸音材１０４、１０６が短辺となる側面に沿って配置されている。つまり、吸音材１０４、１０６は、断面において、両端が長辺となる面と接している。サイレンサ１００は、空気の流れる方向が矢印１０８となる。
【００４７】
図７に示す解析例２のサイレンサ１１０は、本実施形態の要件を満足しておらず、ダクト１０２の、断面において、吸音材１１２、１１４が長辺となる側面に沿って配置されている。つまり、吸音材１１２、１１４は、断面において、両端が短辺となる面と接している。サイレンサ１１０も、空気の流れる方向が矢印１０８となる。
【００４８】
このような解析例１、２の２つのサイレンサ１００、１１０について、減音量ＡＴＴＮについて検討した。なお、サイレンサ１００、１１０は、ダクト１０２の形状と吸音材の体積は、同じとした。また、吸音材は、グラスウール２４Ｋ（かさ密度２４ｋｇ／ｍ３）とし、対象の周波数を２５０Ｈｚとした。また、排気温度Ｔ＝１５℃、サイレンサ長さ（空気の流れ方向の長さ）Ｌ＝０．７ｍとした。また、吸音材の断面積Ｓ＝０．０４ｍ２とした。
【００４９】
ここで、解析例１のサイレンサ１００は、ダクト幅Ｌｙ＋２ｂ＝０．５ｍ、吸音材の厚みｂ＝０．０５ｍ、開口部幅ｌｙ＝０．４ｍ、サイレンサ高さ０．１ｍとなる。これに対して、解析例２のサイレンサ１１０は、ダクト幅Ｌｙ＋２ｂ＝０．１ｍ、吸音材の厚みｂ＝０．０１ｍ、開口部幅ｌｙ＝０．０８ｍ、サイレンサ高さ０．５ｍとなる。
【００５０】
以上の関係を用いて、減音量ＡＴＴＮは、下記式を用いて算出した。なお、Ｐは、ダクトの壁面と吸音材の表面で囲われる内周面の長さｍである。解析例１は、Ｐ＝１となり、解析例２では、Ｐ＝１．１６となる。また、垂直入射吸音率αは、図８に示すグラフから算出した。解析例１は、α＝０．１５となり、解析例２では、α＝０．０５となる。
【００５１】
【数１】
2014081164.tif 000003
【数２】
2014081164.tif 000004
【数３】
2014081164.tif 000005
【００５２】
演算の結果、解析例１は、ＡＴＴＮが１．３ｄＢとなり、解析例２は、ＡＴＴＮが０．３となった。以上より、吸音材を本実施形態の配置とすることで、効率よく吸音を行うことができることがわかる。
【符号の説明】
【００５３】
１０  空調システム
１２、１４  部屋
１６  空調機
１８  配管
２１、６１、７１、８１、１００、１１０  サイレンサ
２２、２４、１０２  ダクト
２６  通風口
３０  給気口
３２  排気口
３４  上面
３６  底面
３８、４０、４２、４４側面
４６  支持部材
５０、５２、６０、６０ａ、６２、６４、６４ａ、７２、７４、８２、１０４、１０６、１１２、１１４  吸音材
８０  スプリッタ
１０８  流れ方向 
【図１】
2014081164.tif 000006
【図２Ａ】
2014081164.tif 000007
【図２Ｂ】
2014081164.tif 000008
【図３Ａ】
2014081164.tif 000009
【図３Ｂ】
2014081164.tif 000010
【図４Ａ】
2014081164.tif 000011
【図４Ｂ】
2014081164.tif 000012
【図５Ａ】
2014081164.tif 000013
【図５Ｂ】
2014081164.tif 000014
【図５Ｃ】
2014081164.tif 000015
【図６】
2014081164.tif 000016
【図７】
2014081164.tif 000017
【図８】
2014081164.tif 000018